(57)【要約】【課題】様々な通信手段に対応し、通信プログラムの書換えを自動化することにより停止時間、管理コストを低減することができる通信制御装置を有する遠隔監視システムを提供する。【解決手段】監視センタ１内に通信制御装置５を管理するプログラム管理装置４を追加することで、通信手段７の追加、及び通信制御装置５のプログラム情報変更が発生した場合に、監視センタ１内の各装置に影響を与えることなく、短時間、かつ低コストで通信手段への対応、及びプログラム情報の変更を実施することが可能となる。【選択図】図１
2006268679.tif 000002
【特許請求の範囲】
【請求項１】
ビルに設置された設備機器の動作状態を監視する複数の監視端末と、前記設備機器の動作状態に応じて前記複数の監視端末と通信を行う監視センタと、前記複数の監視端末と前記監視センタとの間に配設され前記通信信号が伝送される通信回線とを有してなる遠隔監視システムにおいて、
前記監視センタは、前記監視端末との間の通信を制御する通信制御装置と最新の通信プログラムを格納管理する通信プログラム管理装置とを有して構成され、
前記通信制御装置は、前記監視端末との間に設けられる複数種の通信回線に対応する通信プログラムをそれぞれ格納しその通信プログラムを用いて前記監視端末との間で通信を行う複数の通信装置と、
これら複数の通信装置内に格納された通信プログラムが最新のものかどうかを前記通信プログラム管理装置へ確認し、最新のものでない場合は前記通信プログラム管理装置から最新の通信プログラムを前記通信装置へ格納させるよう制御する通信制御部とを備えて構成したことを特徴とする遠隔監視システム。
【発明の詳細な説明】
【技術分野】
【０００１】
本発明はビルに設置された昇降機等の設備機器の動作状態を監視し、遠隔地に設けられた監視センタに様々な通信回線を介して監視情報を通報する監視端末との通信を行う遠隔監視システムに関する。
【背景技術】
【０００２】
従来、ビルに設置している設備機器に異常が発生すると、同じビルに設置されている従監視端末がこの異常を検知し、有線回線を使用し監視センタへ異常データを送信する。監視センタではこの異常発報を受信するため、有線回線に対応した通信制御装置を使用している。
【０００３】
また、通信制御装置に対する機能追加を行う場合、通信制御装置内のＲＯＭを書換える必要があるため、通信制御装置を停止し、プログラム情報が格納されたメモリカードを用いて手動にて操作を実施していた。
【０００４】
なお従来、前記プログラム情報を自動でバージョンアップするものが提案されていた（特許文献１参照）。
【特許文献１】特開２００４−２３５９０２公報
【発明の開示】
【発明が解決しようとする課題】
【０００５】
ところで近年、通信技術の多様化により、無線回線、インターネット等への対応が求められているが、上述した従来の通信制御装置では無線回線、インターネット等への対応が行えない。さらに、通信技術の多様化に対応するためＲＯＭの書換え周期が短くなっており、通信制御装置の停止時間が増大するとともに、作業コストが膨大となってしまうという問題があった。
【０００６】
本発明はこのような従来技術における実情に鑑みてなされたもので、その目的は、様々な通信手段に対応し、書換えを自動化することにより停止時間、管理コストを低減することができる通信制御装置を提供することにある。
【課題を解決するための手段】
【０００７】
本発明は上記課題を解決するために、ビルに設置された設備機器の動作状態を監視する複数の監視端末と、前記設備機器の動作状態に応じて前記複数の監視端末と通信を行う監視センタと、前記複数の監視端末と前記監視センタとの間に配設され前記通信信号が伝送される通信回線とを有してなる遠隔監視システムにおいて、前記監視センタは、前記監視端末との間の通信を制御する通信制御装置と最新の通信プログラムを格納管理する通信プログラム管理装置とを有して構成され、前記通信制御装置は、前記監視端末との間に設けられる複数種の通信回線に対応する通信プログラムをそれぞれ格納しその通信プログラムを用いて前記監視端末との間で通信を行う複数の通信装置と、これら複数の通信装置内に格納された通信プログラムが最新のものかどうかを前記通信プログラム管理装置へ確認し、最新のものでない場合は前記通信プログラム管理装置から最新の通信プログラムを前記通信装置へ格納させるよう制御する通信制御部とを備えて構成したことを特徴とする。
【発明の効果】
【０００８】
以上説明したように、通信制御装置のプログラム情報を、構成情報に関わらず更新要求のみで起動時、及び稼動中に最新の状態に保つことにより、通信制御装置の停止時間を最小限に抑えつつ、維持管理コストを低減することが可能となる。
【０００９】
さらに、様々な通信手段を採用した場合も、通信装置のみの追加、または交換を行うことで、監視センタ内各装置の改造を行うことなく、容易に様々な通信手段に対応することが可能となる。
【発明を実施するための最良の形態】
【００１０】
以下、図面を参照して本発明の実施形態を説明する。
【００１１】
図１は本発明に係る遠隔監視システムの構成図である。
【００１２】
図２は本発明に係る通信装置プログラム更新処理を表すフローチャートである。
【００１３】
図１において、１は後述する監視端末８１、８２、８ｎよりビル群８の昇降機、設備機器等の動作状況を確認し、対応者へ出動指示を行う監視センタ、２はデータ処理装置、２１は記憶装置、３はデータ表示装置、４は後述する通信制御装置５のプログラム情報を制御するプログラム管理装置、５はデータ処理装置２との通信制御を行う通信制御部５１と、後述する監視端末８１、８２、８ｎと通信回線を介して接続され、監視端末８１、８２、８ｎとのデータ送受信を行う通信装置５２、５３、５４、５５とから構成される通信制御装置、６はデータ処理装置２、データ表示装置３、プログラム管理装置４、及び通信制御装置５とを相互に接続するＬＡＮ、７は監視センタ１とビル群８とを選択的に接続する通信回線、８１、８２、８ｎは設備監視を行うビル群８に設置され、監視センタ１と通信回線７を介して選択的に接続される監視端末である。
【００１４】
監視端末８１、８２、８ｎはビル群８の監視設備に異常が発生した場合、ビル群８のそれぞれに用意される有線通信網、無線通信網、インターネット等の通信回線７を介して監視センタ１に異常内容を発報する。この際、監視端末８１、８２、８ｎでは接続される通信回線７に応じて予め設定されている通信先情報を基に、監視センタ１の対応する通信装置５２、５３、５４、５５と接続を行う。通信装置５２、５３、５４、５５では、監視端末８１、８２、８ｎより接続される通信回線７に応じた通信手順に従い、発報情報の受信を行う。
【００１５】
通信制御部５１と通信装置５２、５３、５４、５５間は通信回線７に拠らず、固有の通信手順を用いて通信を行うため、通信制御部５１では通信回線７の種別に関わらず、監視端末８１、８２、８ｎからの発報情報が受信可能となる。通信制御部５２で受信した発報内容は、ＬＡＮ６を経由してデータ処理装置２へ送信され、記録装置２１に保持すると共に発報情報の解析を行い、ＬＡＮ６を経由してデータ表示装置３へ解析結果を送信し故障情報の表示を行う。
【００１６】
同様に、監視センタ１より監視端末８１、８２、８ｎに対し、設備機器の動作状態確認のために接続を行う場合は、データ表示装置３より通信を行う監視端末８１、８２、８ｎの特定を行い、ＬＡＮ６を経由して通信指令をデータ処理装置２へ送信する。データ処理装置２では、記録装置２１より監視端末８１、８２、８ｎが接続されている通信回線７の情報を取得し、発信要求に通信情報を付加した通信データを作成する。この通信データは、ＬＡＮ６を経由して通信制御装置５に送信され、通信制御部５１にて付加された通信情報を確認し、接続されている通信装置５２、５３、５４、５５より該当の通信回線７に接続されている装置を選び出し、特定した通信装置５２、５３、５４、５５に対して通信データを送信する。この際、通信回線７に拠らず、通信制御部５１と通信装置５２、５３、５４、５５との間では固有の通信手段を用いる。通信装置５２、５３、５４、５５では接続された通信回線７に応じた通信手順を用いて監視端末８１、８２、８ｎと接続を行い、通信データを送信する。
【００１７】
次に本発明である遠隔監視システムの要部である通信制御部５１と通信装置５２、５３、５４、５５の通信プログラムの更新方法について説明する。
【００１８】
監視センタ１では、監視端末８１、８２、８ｎと通信を行うため、通信制御装置５の起動を行う。この際、通信制御装置５は、起動を行うと、（手順Ｓ１）通信制御部５１では接続される通信装置５２、５３、５４、５５が有線、無線、インターネット等の内、どの通信回線に接続されているかを判定し（手順Ｓ２）、通信制御部５１と各通信装置５２、５３、５４、５５のプログラムバージョンを特定する（手順Ｓ３）。プログラムバージョンの特定後、ＬＡＮ６を経由し、プログラム管理装置４へ接続を行う（手順Ｓ４）。プログラム管理装置４への接続が失敗した場合は、装置が不正に持ち出されていると判断し、プログラム管理装置４への接続情報を除き、通信制御部５１、及び通信装置５２、５３、５４、５５のプログラム情報を削除する（手順Ｓ９）。プログラム管理装置４への接続が成功した場合は、特定した装置構成とプログラムバージョンより、プログラム管理装置４に接続される記録装置４１を用いて照合を行い、最新のプログラムが存在するかを確認する（手順Ｓ５）。最新プログラムが存在しない場合は通信制御部５１、及び通信装置５２、５３、５４、５５が保持しているプログラムを使用し、起動を行う（手順Ｓ８）。プログラム管理装置４に最新のプログラムが存在している場合は、プログラム管理装置４よりプログラムの取得を行い（手順Ｓ６）、通信制御部５１、及び通信装置５２、５３、５４、５５のプログラム情報の更新を行った後（手順Ｓ７）、最新のプログラムを使用し、起動を行う（手順Ｓ８）。また、通信制御装置５が稼動中にプログラムの更新があった場合、データ表示装置３より通信装置５にプログラム更新要求を発行することで、通信制御装置５の起動時と同様の手順により、通信制御部５１と通信装置５２、５３、５４、５５のプログラム更新を行うことが可能となる。
【図面の簡単な説明】
【００１９】
【図１】図１は本発明に係る遠隔監視システムの構成図である。
【図２】図２は本発明に係る通信装置プログラム更新処理を表すフローチャートである。
【符号の説明】
【００２０】
１  監視センタ
２  データ処理装置
２１  記憶装置
３  データ表示装置
４  プログラム管理装置
４１  記憶装置
５  通信制御装置
５１  通信制御部
５２、５３、５４、５５  通信装置
６  ＬＡＮ
７  通信回線
８  ビル群
８１、８２、８ｎ  監視端末
【図１】
2006268679.tif 000003
【図２】
2006268679.tif 000004